(57)【要約】  本明細書では、血液試料から血漿を採取するためのデバイスが説明され、このデバイスが、近位端と遠位端との間で延在する流れチャンネルを画定するボディを有し、流れチャンネルが、血漿から赤血球を濾過する分離膜を支持するための膜領域と、血漿を採取する吸収膜を支持するための血漿採取領域と、膜領域を血漿採取領域から分離するためのチャンバと、を有する。
2021527212.tif 000002
【特許請求の範囲】
【請求項１】
血液試料から血漿を採取するためのデバイスであって、前記デバイスは、近位端と遠位端との間で延びる流れチャンネルを画成するボディを有し、前記流れチャンネルは、
前記血漿から赤血球を濾過する分離膜を支持するための膜領域と、
前記血漿を採取する吸収膜を支持するための血漿採取領域と
を有し、
前記分離膜から前記吸収膜への前記血漿の流れが妨害可能である、デバイス。
【請求項２】
前記分離膜から前記吸収膜への前記血漿の流れが遮断される、請求項１に記載のデバイス。
【請求項３】
前記分離膜及び／又は前記吸収膜を取り外すことにより前記血漿の流れが遮断される、請求項２に記載のデバイス。
【請求項４】
前記吸収膜を前記分離膜から分離することにより前記血漿の流れが遮断される、請求項２に記載のデバイス。
【請求項５】
前記分離膜及び前記吸収膜が連続している、請求項１から４までのいずれか一項に記載のデバイス。
【請求項６】
前記分離膜及び前記吸収膜が重なっている、請求項１から５までのいずれか一項に記載のデバイス。
【請求項７】
前記血漿採取領域及び前記膜領域が取り外し可能に結合され得る、請求項１から６までのいずれか一項に記載のデバイス。
【請求項８】
前記膜領域及び／又は前記血漿領域が、前記血漿領域及び／又は前記膜領域と係合する舌部を有する、請求項７に記載のデバイス。
【請求項９】
前記舌部が、対応するくぼみと係合する突出部を有する、請求項８に記載のデバイス。
【請求項１０】
前記血漿採取領域が、取り外し可能に結合され得る頂部分及び底部分を有する、請求項１から９までのいずれか一項に記載のデバイス。
【請求項１１】
前記膜領域が、取り外し可能に結合され得る頂部分及び底部分を有する、請求項１から１０までのいずれか一項に記載のデバイス。
【請求項１２】
前記血漿採取領域の前記頂部分が、前記膜領域の頂表面と対合するための横方向突出部を有する、請求項１０又は１１に記載のデバイス。
【請求項１３】
前記血漿採取領域の前記頂部分が、その側部表面及び／又は底部表面上に溝をさらに有し、前記溝が、前記血漿採取領域の前記底部分の頂表面上の対応する突出部と対合する、請求項１２に記載のデバイス。
【請求項１４】
前記血漿採取領域の前記底部分が、表面上で前記デバイスを傾斜させるためのスタンド部材を有する、請求項１０から１３までのいずれか一項に記載のデバイス。
【請求項１５】
前記膜領域の前記頂部分が、前記血漿採取領域の側部表面と係合するためのアーム部材を有する、請求項１１に記載のデバイス。
【請求項１６】
前記膜領域の前記頂部分及び前記膜領域の前記底部分が、係合可能に対合するポスト及び空洞を有する、請求項１１に記載のデバイス。
【請求項１７】
前記膜領域の頂部分が、前記膜領域の前記底部分の頂表面上の横方向突出部材と対合するための溝を有する底部表面をさらに有する、請求項１５又は１６に記載のデバイス。
【請求項１８】
前記血漿採取領域及び前記膜領域が、接着剤なしで取り外し可能に結合可能である、請求項１０から１７までのいずれか一項に記載のデバイス。
【請求項１９】
前記吸収膜が、事前定義されたボリュームを有する、請求項１から１８までのいずれか一項に記載のデバイス。
【請求項２０】
前記事前定義されたボリュームが約５μｌから約５０μｌであり、例えば約５μｌから約２５μｌ、約１０μｌから約２０μｌ、約１０μｌから約１５μｌである、請求項１９に記載のデバイス。
【請求項２１】
前記膜領域は、前記膜領域内の前記流れチャンネルの頂部壁及び底部壁が前記分離膜に接触しないように、拡大されている、請求項１から２０までのいずれか一項に記載のデバイス。
【請求項２２】
前記膜領域が、前記分離膜を支持するための、前記流れチャンネルの頂部壁及び／又は底部壁から延びる１つ又は複数の支持体を有する、請求項２１に記載のデバイス。
【請求項２３】
前記支持体のうちの少なくとも１つの支持体が前記流れチャンネルの前記底部壁から延びている、請求項２２に記載のデバイス。
【請求項２４】
前記吸収膜を容易に取り外すように構成された、請求項１から２３までのいずれか一項に記載のデバイス。
【請求項２５】
前記遠位端にハンドルをさらに有する、請求項１から２４までのいずれか一項に記載のデバイス。
【請求項２６】
前記ハンドルが、親指又は指を支持するためのギザギザのある円形物を有する、請求項２５に記載のデバイス。
【請求項２７】
カバーをさらに有する、請求項１から２６までのいずれか一項に記載のデバイス。
【請求項２８】
前記分離膜を有する、請求項１から２７までのいずれか一項に記載のデバイス。
【請求項２９】
前記分離膜が、実質的に溶血なしに赤血球を受け入れる孔径を有する、請求項２８に記載のデバイス。
【請求項３０】
前記分離膜が、約６μｍから約８μｍなどといった、最大約８μｍの、赤血球の概略サイズより大きい平均孔径を有する、請求項２８又は２９に記載のデバイス。
【請求項３１】
前記分離膜がガラス繊維を含む、請求項２８から３０までのいずれか一項に記載のデバイス。
【請求項３２】
前記分離膜が、前記血漿の最前部分と共に移動する着色剤を含む、請求項２８から３１までのいずれか一項に記載のデバイス。
【請求項３３】
前記吸収膜を有する、請求項１から３２までのいずれか一項に記載のデバイス。
【請求項３４】
前記吸収膜が紙パッドを有する、請求項３３に記載のデバイス。
【請求項３５】
前記吸収膜が前記分離膜に付着されていない、請求項３３又は３４に記載のデバイス。
【請求項３６】
前記吸収膜が、前記血漿の最前部分と共に移動する着色剤を含む、請求項３３から３５までのいずれか一項に記載のデバイス。
【請求項３７】
前記デバイスが、前記近位端からの前記分離膜を通る前記血液の採取及び流れを可能にし、そこで前記赤血球が保持され、且つ前記血漿が単一ステップで前記吸収膜内へと流れ続ける、請求項１から３６までのいずれか一項に記載のデバイス。
【請求項３８】
前記デバイスが、前記流れチャンネルを通る前記血液の流れを引き起こすのに緩衝剤又は希釈剤の追加を必要としない、請求項１から３７までのいずれか一項に記載のデバイス。
【請求項３９】
前記試料を視覚的に検査するための、前記試料を空気乾燥するための、及び／又は前記血漿の流れを妨害することを目的として前記分離膜及び前記吸収膜を分離するための、窓をさらに有する、請求項１から３８までのいずれか一項に記載のデバイス。
【請求項４０】
血液試料から血漿を採取するためのデバイスであって、前記デバイスが、近位端と遠位端との間に延びる流れチャンネルを画成するボディを有し、前記流れチャンネルが、
前記血漿から赤血球を濾過する分離膜を支持するための膜領域と、
前記血漿を採取する吸収膜を支持するための血漿採取領域と
を有し、
前記血漿の流れを止めるために前記吸収膜が前記分離膜から取り外し可能である、デバイス。
【請求項４１】
前記分離膜及び前記吸収膜が連続している、請求項４０に記載のデバイス。
【請求項４２】
前記分離膜及び前記吸収膜が重なっている、請求項４０に記載のデバイス。
【請求項４３】
血液試料から血漿を採取するためのデバイスであって、前記デバイスが、近位端と遠位端との間に延びる流れチャンネルを画成するボディを有し、前記流れチャンネルが、
前記血漿から赤血球を濾過する分離膜を支持するための膜領域と、
前記血漿を採取する吸収膜を支持するための血漿採取領域と
を有し、
前記血漿の流れが、前記分離膜及び前記吸収膜が流体連通している第１の配置構成、並びに前記分離膜及び前記吸収膜が流体連通しない第２の配置構成において、制御可能である、デバイス。
【請求項４４】
前記第２の配置構成において、前記分離膜から前記吸収膜への間の流体連通が遮断される、請求項４３に記載のデバイス。
【請求項４５】
前記第２の配置構成が、前記分離膜及び／又は前記吸収膜を取り外すことを含む、請求項４３に記載のデバイス。
【請求項４６】
前記第２の配置構成は、前記吸収膜を前記分離膜から分離することを含む、請求項４３に記載のデバイス。
【請求項４７】
前記分離することは、永久的である、請求項４６に記載のデバイス。
【請求項４８】
前記分離することは、一時的である、請求項４６に記載のデバイス。
【請求項４９】
前記第１の配置構成において前記分離膜及び前記吸収膜が連続している、請求項４３から４８までのいずれか一項に記載のデバイス。
【請求項５０】
前記第１の配置構成において前記分離膜及び前記吸収膜が重なっている、請求項４３から４９までのいずれか一項に記載のデバイス。
【請求項５１】
前記血漿採取領域及び前記膜領域が取り外し可能に結合され得る、請求項４０から５０までのいずれか一項に記載のデバイス。
【請求項５２】
前記膜領域及び／又は前記血漿領域が、前記血漿領域及び／又は前記膜領域と係合する舌部を有する、請求項５１に記載のデバイス。
【請求項５３】
前記舌部が、対応するくぼみと係合する突出部を有する、請求項５２に記載のデバイス。
【請求項５４】
前記血漿採取領域が、取り外し可能に結合され得る頂部分及び底部分を有する、請求項４０から５３までのいずれか一項に記載のデバイス。
【請求項５５】
前記膜領域が、取り外し可能に結合され得る頂部分及び底部分を有する、請求項４０から５４までのいずれか一項に記載のデバイス。
【請求項５６】
前記血漿採取領域の前記頂部分が、前記膜領域の頂表面と対合するための横方向突出部を有する、請求項５４又は５５に記載のデバイス。
【請求項５７】
前記血漿採取領域の前記頂部分が、その側部表面及び／又は底部表面上に溝をさらに有し、前記溝が、前記血漿採取領域の前記底部分の頂表面上の対応する突出部と対合する、請求項５６に記載のデバイス。
【請求項５８】
前記血漿採取領域の底部分が、表面上で前記デバイスを傾斜させるためのスタンド部材を有する、請求項５４から５７までのいずれか一項に記載のデバイス。
【請求項５９】
前記膜領域の前記頂部分が、前記血漿採取領域の側部表面と係合するためのアーム部材を有する、請求項５５に記載のデバイス。
【請求項６０】
前記膜領域の前記頂部分及び前記膜領域の前記底部分が、係合可能に対合するポスト及び空洞を有する、請求項５９に記載のデバイス。
【請求項６１】
前記膜領域の頂部分が、前記膜領域の前記底部分の頂表面上の横方向突出部材と対合するための溝を有する底部表面をさらに有する、請求項５９又は６０に記載のデバイス。
【請求項６２】
前記血漿採取領域及び前記膜領域が、接着剤なしで取り外し可能に結合可能である、請求項５１から６１までのいずれか一項に記載のデバイス。
【請求項６３】
前記吸収膜が、事前定義されたボリュームを有する、請求項４０から６２までのいずれか一項に記載のデバイス。
【請求項６４】
前記事前定義されたボリュームが約５μｌから約５０μｌであり、例えば約５μｌから約２５μｌ、約１０μｌから約２０μｌ、約１０μｌから約１５μｌである、請求項６３に記載のデバイス。
【請求項６５】
前記膜領域は、前記膜領域内の前記流れチャンネルの頂部壁及び底部壁が前記分離膜に接触しないように、拡大されている、請求項４０から６４までのいずれか一項に記載のデバイス。
【請求項６６】
前記膜領域が、前記分離膜を支持するための、前記流れチャンネルの頂部壁及び／又は底部壁から延びる１つ又は複数の支持体を有する、請求項６５に記載のデバイス。
【請求項６７】
前記支持体のうちの少なくとも１つの支持体が前記流れチャンネルの前記底部壁から延びている、請求項６６に記載のデバイス。
【請求項６８】
前記吸収膜を容易に取り外せるように構成された、請求項４０から６７までのいずれか一項に記載のデバイス。
【請求項６９】
前記遠位端にハンドルをさらに有する、請求項４０から６８までのいずれか一項に記載のデバイス。
【請求項７０】
前記ハンドルが、親指又は指を支持するためのギザギザのある円形物を有する、請求項６９に記載のデバイス。
【請求項７１】
カバーをさらに有する、請求項４０から７０までのいずれか一項に記載のデバイス。
【請求項７２】
前記分離膜を有する、請求項４０から７１までのいずれか一項に記載のデバイス。
【請求項７３】
前記分離膜が、実質的に溶血なしに赤血球を受け入れる孔径を有する、請求項７２に記載のデバイス。
【請求項７４】
前記分離膜が、約６μｍから約８μｍなどといった、最大約８μｍの、赤血球の概略サイズより大きい平均孔径を有する、請求項７２又は７３に記載のデバイス。
【請求項７５】
前記分離膜がガラス繊維を含む、請求項７２から７４までのいずれか一項に記載のデバイス。
【請求項７６】
前記分離膜が、前記血漿の最前部分と共に移動する着色剤を含む、請求項７２から７５までのいずれか一項に記載のデバイス。
【請求項７７】
前記吸収膜を有する、請求項４０から７６までのいずれか一項に記載のデバイス。
【請求項７８】
前記吸収膜が紙パッドを有する、請求項７７に記載のデバイス。
【請求項７９】
前記吸収膜が前記分離膜に付着していない、請求項７７又は７８に記載のデバイス。
【請求項８０】
前記吸収膜が、前記血漿の最前部分と共に移動する着色剤を含む、請求項７７から７９までのいずれか一項に記載のデバイス。
【請求項８１】
血液試料から血漿を採取するためのデバイスであって、前記デバイスが、近位端と遠位端との間に延びる流れチャンネルを画成するボディを有し、前記流れチャンネルが、
前記血漿から赤血球を濾過する分離膜を支持するための膜領域と、
前記血漿を採取する吸収膜を支持するための血漿採取領域と、
前記膜領域を前記血漿採取領域から分離するためのチャンバと
を有する、デバイス。
【請求項８２】
前記チャンバの壁が近位側通気孔を有する、請求項８１に記載のデバイス。
【請求項８３】
前記近位側通気孔が前記チャンバの底部壁内にある、請求項８２に記載のデバイス。
【請求項８４】
前記チャンバの壁が、前記分離膜内の前記血漿の表面張力を破壊するための及び／又は前記分離膜を登録するための突出部を有する、請求項８１から８３までのいずれか一項に記載のデバイス。
【請求項８５】
前記チャンバが、事前定義されたボリュームを有する、請求項８１から８４までのいずれか一項に記載のデバイス。
【請求項８６】
前記事前定義されたボリュームが約５μｌから約５０μｌであり、例えば約５μｌから約２５μｌ、約１０μｌから約２０μｌ、約１０μｌから約１５μｌである、請求項８５に記載のデバイス。
【請求項８７】
前記膜領域が、近位端及び遠位端で前記分離膜を支持するためのものである、請求項８１から８６までのいずれか一項に記載のデバイス。
【請求項８８】
前記膜領域は、前記膜領域内の前記流れチャンネルの頂部壁及び底部壁が前記分離膜に接触しないように、拡大されている、請求項８１から８７までのいずれか一項に記載のデバイス。
【請求項８９】
前記膜領域が、前記分離膜を支持するための、前記流れチャンネルの頂部壁及び／又は底部壁から延びる１つ又は複数の支持体を有する、請求項８７又は８８に記載のデバイス。
【請求項９０】
前記支持体のうちの少なくとも１つの支持体が前記流れチャンネルの前記底部壁から延びている、請求項８９に記載のデバイス。
【請求項９１】
前記吸収膜を容易に取り外すように構成された、請求項８１から９０までのいずれか一項に記載のデバイス。
【請求項９２】
取り外し可能に結合され得る２つの部分から形成された、請求項８１から９１までのいずれか一項に記載のデバイス。
【請求項９３】
前記遠位端にハンドルをさらに有する、請求項８１から９２までのいずれか一項に記載のデバイス。
【請求項９４】
前記ハンドルが、親指又は指を支持するためのギザギザのある円形物を有する、請求項９３に記載のデバイス。
【請求項９５】
カバーをさらに有する、請求項８１から９４までのいずれか一項に記載のデバイス。
【請求項９６】
前記膜領域の上流に、事前定義されたボリュームを有する流れ経路領域をさらに有し、前記事前定義されたボリュームが前記チャンバのボリュームより大きい、請求項８１から９５までのいずれか一項に記載のデバイス。
【請求項９７】
前記分離膜を有する、請求項８１から９６までのいずれか一項に記載のデバイス。
【請求項９８】
前記分離膜が、前記血漿の最前部分と共に移動する着色剤を含む、請求項９７に記載のデバイス。
【請求項９９】
前記分離膜が、実質的に溶血なしに赤血球を受け入れる孔径を有する、請求項９７又は９８に記載のデバイス。
【請求項１００】
前記分離膜が、約６μｍから約８μｍなどといった、最大約８μｍの、赤血球の概略サイズより大きい平均孔径を有する、請求項９７から９９までのいずれか一項に記載のデバイス。
【請求項１０１】
前記分離膜がガラス繊維を含む、請求項９７から１００までのいずれか一項に記載のデバイス。
【請求項１０２】
前記吸収膜を有する、請求項８１から１０１までのいずれか一項に記載のデバイス。
【請求項１０３】
前記分離膜が、血漿の最前部分と共に移動する着色剤を含む、請求項１０２に記載のデバイス。
【請求項１０４】
前記吸収膜が紙パッドを有する、請求項１０２又は１０３に記載のデバイス。
【請求項１０５】
前記デバイスが、前記近位端からの前記分離膜を通る前記血液の採取及び流れを可能にし、そこで前記赤血球が保持され、且つ前記血漿が単一ステップで前記吸収膜内へと流れ続ける、請求項１から１０４までのいずれか一項に記載のデバイス。
【請求項１０６】
前記デバイスが、前記流れチャンネルを通る前記血液の流れを引き起こすのに緩衝剤又は希釈剤の追加を必要としない、請求項１から１０５までのいずれか一項に記載のデバイス。
【請求項１０７】
前記試料を視覚的に検査するための、前記試料を空気乾燥するための、及び／又は前記血漿の流れを妨害することを目的として前記分離膜及び前記吸収膜を分離するための、窓をさらに有する、請求項１から１０６までのいずれか一項に記載のデバイス。
【請求項１０８】
前記血液試料が抗凝血物質を必要としない、請求項１から１０７までのいずれか一項に記載のデバイス。
【請求項１０９】
血液試料から血漿試料を採取するワンステップの方法であって、前記方法が、分離膜及び吸収膜を有する請求項１から１０８までのいずれか一項に記載のデバイスに前記血液試料を与えるステップと、前記試料が流れチャンネル内に、前記流れチャンネルを通して引き込まれることを可能にするステップとを含む、ワンステップの方法。
【発明の詳細な説明】
【技術分野】
【０００１】
本発明は流体試料の採取（ｃｏｌｌｅｃｔｉｏｎ）に関する。より詳細には、本発明は、いくつかの観点（ａｓｐｅｃｔ）において、流体採取ユニット、及び関連する方法、及びそれを有するデバイスに関する。
【背景技術】
【０００２】
全血から血漿を採取及び分離するための従来の方法は、通常、静脈血の採血から比較的大量の血液を採取することを必要とする。次いで、全血が遠心分離によって分離され、それにより比較的大量の血漿が得られることになり、また訓練された技術者という形での人間の介入を必要とする。このような採取方法は、医療機関内に患者を存在させることを必要とする。全血から赤血球を濾過して血漿を残すのにラテラル・フロー・デバイス（ｌａｔｅｒａｌ  ｆｌｏｗ  ｄｅｖｉｃｅ）が使用されてきた。これらのラテラル・フロー・デバイスは、通常、全血から赤血球を濾過するための膜と、パッドとを有し、パッド内で血漿が採取される。例えば、米国特許第５，０６４，５４１号、米国特許第５，９１６，５２１号、米国特許第７，７３６，９０７号、米国特許第７，７８５，８６５号、米国特許第８，１１９，３９３号、米国特許第８，３７７，３７９号、及び米国特許第９，８１６，９７９号を参照されたい。
【０００３】
米国特許第６，０３６，６５９号が、実験室分析のための遠隔生物試料採取（ｒｅｍｏｔｅ−ｓｉｔｅ  ｂｉｏｌｏｇｉｃａｌ  ｓａｍｐｌｅ  ｃｏｌｌｅｃｔｉｏｎ）のためのデバイスを説明している。このデバイスは複数の構成で作られ得、これらの構成のすべてが、生物試料を採取及び分離してその所望の成分にするための分離膜を有し、この所望の成分が検出又は測定される。
【０００４】
従来技術の欠陥のうちの少なくとも一部の欠陥を解消又は軽減するための又は有用な代替形態を提供するための代替の構成（ｃｏｍｐｏｓｉｔｉｏｎ）が必要とされる。
【先行技術文献】
【特許文献】
【０００５】
【特許文献１】米国特許第５，０６４，５４１号
【特許文献２】米国特許第５，９１６，５２１号
【特許文献３】米国特許第７，７３６，９０７号
【特許文献４】米国特許第７，７８５，８６５号
【特許文献５】米国特許第８，１１９，３９３号
【特許文献６】米国特許第８，３７７，３７９号
【特許文献７】米国特許第９，８１６，９７９号
【特許文献８】米国特許第６，０３６，６５９号
【特許文献９】米国特許第７，２３８，５３８号
【特許文献１０】国際特許出願公開第ＷＯ２００９／１４３６０１号
【特許文献１１】国際特許出願公開第ＷＯ２０１３／１５５６１７号
【発明の概要】
【０００６】
１つの観点によると、血液試料から血漿を採取するためのデバイスが提供され、このデバイスが、近位端と遠位端との間で延在する流れチャンネルを画定するボディを有し、流れチャンネルが、
血漿から赤血球を濾過する分離膜を支持するための膜領域と、
血漿を採取する吸収膜を支持するための血漿採取領域と
を有し、
分離膜から吸収膜までの血漿の流れが妨害可能である。
【０００７】
１つの観点では、分離膜から吸収膜までの血漿の流れが遮断される。
【０００８】
１つの観点では、分離膜及び／又は吸収膜を取り外すことにより血漿の流れが遮断される。
【０００９】
１つの観点では、吸収膜を分離膜から分離することにより血漿の流れが遮断される。
【００１０】
１つの観点では、分離膜及び吸収膜が連続する。
【００１１】
１つの観点では、分離膜及び吸収膜が重なる。
【００１２】
１つの観点では、血漿採取領域及び膜領域が取り外し可能に結合され得る。
【００１３】
１つの観点では、膜領域及び／又は血漿領域が、血漿領域及び／又は膜領域に係合される舌部を有する。
【００１４】
１つの観点では、舌部が、対応するくぼみに係合される突出部を有する。
【００１５】
１つの観点では、血漿採取領域が、取り外し可能に結合され得る頂部分及び底部分を有する。
【００１６】
１つの観点では、膜領域が、取り外し可能に結合され得る頂部分及び底部分を有する。
【００１７】
１つの観点では、血漿採取領域の頂部分が、膜領域の頂表面と対合するための横方向突出部を有する。
【００１８】
１つの観点では、血漿採取領域の頂部分が、血漿採取領域の底部分の頂表面上にある対応する突出部と対合（結合）するための溝をその側部表面及び／又は底部表面上にさらに有する。
【００１９】
１つの観点では、血漿採取領域の底部分が、表面上でデバイスを傾斜させるためのスタンド部材を有する。
【００２０】
１つの観点では、膜領域の頂部分が、血漿採取領域の側部表面に係合されるためのアーム部材を有する。
【００２１】
１つの観点では、膜領域の頂部分及び膜領域の底部分が、係合可能に対合する、ポスト及び空洞を有する。
【００２２】
１つの観点では、膜領域の頂部分が、膜領域の底部分の頂表面上にある横方向に突出する部材と対合するための溝を有する底部表面をさらに有する。
【００２３】
１つの観点では、血漿採取領域及び膜領域が接着剤を用いずに取り外し可能に結合可能である。
【００２４】
１つの観点では、吸収膜が事前定義されたボリューム（容積）を有する。
【００２５】
１つの観点では、事前定義されたボリュームが約５μｌから約５０μｌであり、約５μｌから約２５μｌ、約１０μｌから約２０μｌ、約１０μｌから約１５μｌなどである。
【００２６】
１つの観点では、膜領域が、膜領域内の流れチャンネルの頂部壁及び底部壁を分離膜に接触させないように、拡大されている。
【００２７】
１つの観点では、膜領域が、分離膜を支持するための、流れチャンネルの頂部壁及び／又は底部壁から延在する１つ又は複数の支持体を有する。
【００２８】
１つの観点では、支持体のうちの少なくとも１つの支持体が流れチャンネルの底部壁から延在する。
【００２９】
１つの観点では、デバイスが、吸収膜を容易に取り外すように構成される。
【００３０】
１つの観点では、デバイスが遠位端にハンドルをさらに有する。
【００３１】
１つの観点では、ハンドルが、親指又は指を支持するためのギザギザのある円形物（ｉｎｄｅｎｔｅｄ  ｃｉｒｃｌｅ）を有する。
【００３２】
１つの観点では、デバイスがカバーをさらに有する。
【００３３】
１つの観点では、デバイスが分離膜を有する。
【００３４】
１つの観点では、分離膜が、実質的に（有意な）溶血なしに赤血球を受け入れる孔径（ｐｏｒｅ  ｓｉｚｅ）を有する。
【００３５】
１つの観点では、分離膜が、約６μｍから約８μｍなどといったように、最大約８μｍの、赤血球の概略のサイズより大きい平均孔径を有する。
【００３６】
１つの観点では、分離膜がガラス繊維を含む。
【００３７】
１つの観点では、分離膜が、血漿の最前部分（ｆｒｏｎｔ）と共に移動可能である（ｍｏｂｉｌｉｚｅ）着色剤を含む。
【００３８】
１つの観点では、デバイスが吸収膜をさらに有する。
【００３９】
１つの観点では、吸収膜が紙パッドを有する。
【００４０】
１つの観点では、吸収膜が分離膜に付着しない。
【００４１】
１つの観点では、吸収膜が、血漿の最前部分と共に移動可能である着色剤を含む。
【００４２】
１つの観点では、デバイスが、近位端から分離膜を通る形での血液の採取及び流れを可能にし、分離膜で赤血球が保持され、血漿が単一ステップで吸収膜の中まで継続して流れる。
【００４３】
１つの観点では、デバイスが、流れチャンネルを通る血液の流れを引き起こすのに緩衝剤又は希釈剤を追加することを必要としない。
【００４４】
１つの観点では、デバイスが、試料を視覚的に検査するための、試料を空気乾燥するための、並びに／或は血漿の流れを妨害することを目的として分離膜及び吸収膜を分離するための、窓をさらに有する。
【００４５】
１つの観点によると、血液試料から血漿を採取するためのデバイスが提供され、このデバイスが、近位端と遠位端との間で延在する流れチャンネルを画定するボディを有し、流れチャンネルが、
血漿から赤血球を濾過する分離膜を支持するための膜領域と、
血漿を採取する吸収膜を支持するための血漿採取領域と
を有し、
血漿の流れを止めるために、吸収膜が分離膜から取り外し可能である。
【００４６】
１つの観点では、分離膜及び吸収膜が連続する。
【００４７】
１つの観点では、分離膜及び吸収膜が重なる。
【００４８】
１つの観点によると、血液試料から血漿を採取するためのデバイスが提供され、このデバイスが、近位端と遠位端との間で延在する流れチャンネルを画定するボディを有し、流れチャンネルが、
血漿から赤血球を濾過する分離膜を支持するための膜領域と、
血漿を採取する吸収膜を支持するための血漿採取領域と
を有し、
血漿の流れが、分離膜及び吸収膜を流体連通させる第１の配置構成（ｏｒｉｅｎｔａｔｉｏｎ）、並びに分離膜及び吸収膜を流体連通させない第２の配置構成において、制御可能である。
【００４９】
１つの観点では、第２の配置構成において、分離膜から吸収膜への間の流体連通が遮断される。
【００５０】
１つの観点では、第２の配置構成が、分離膜及び／又は吸収膜を取り外すことを含む。
【００５１】
１つの観点では、第２の配置構成が、吸収膜を分離膜から分離することを含む。
【００５２】
１つの観点では、分離することが永久的である。
【００５３】
１つの観点では、分離することが一時的である。
【００５４】
１つの観点では、第１の配置構成において分離膜及び吸収膜が連続する。
【００５５】
１つの観点では、第１の配置構成において分離膜及び吸収膜が重なる。
【００５６】
１つの観点では、血漿採取領域及び膜領域が取り外し可能に結合され得る。
【００５７】
１つの観点では、膜領域及び／又は血漿領域が、血漿領域及び／又は膜領域に係合される舌部を有する。
【００５８】
１つの観点では、舌部が、対応するくぼみに係合される突出部を有する。
【００５９】
１つの観点では、血漿採取領域が、取り外し可能に結合され得る頂部分及び底部分を有する。
【００６０】
１つの観点では、膜領域が、取り外し可能に結合され得る頂部分及び底部分を有する。
【００６１】
１つの観点では、血漿採取領域の頂部分が、膜領域の頂表面と対合するための横方向突出部を有する。
【００６２】
１つの観点では、血漿採取領域の頂部分が、血漿採取領域の底部分の頂表面上にある対応する突出部と対合するための溝をその側部表面及び／又は底部表面上にさらに有する。
【００６３】
１つの観点では、血漿採取領域の底部分が、表面上でデバイスを傾斜させるためのスタンド部材を有する。
【００６４】
１つの観点では、膜領域の頂部分が、血漿採取領域の側部表面に係合されるためのアーム部材を有する。
【００６５】
１つの観点では、膜領域の頂部分及び膜領域の底部分が、係合可能に対合する、ポスト及び空洞を有する。
【００６６】
１つの観点では、膜領域の頂部分が、膜領域の底部分の頂表面上にある横方向に突出する部材と対合するための溝を有する底部表面をさらに有する。
【００６７】
１つの観点では、血漿採取領域及び膜領域が接着剤を用いずに取り外し可能に結合可能である。
【００６８】
１つの観点では、吸収膜が事前定義されたボリュームを有する。
【００６９】
１つの観点では、事前定義されたボリュームが約５μｌから約５０μｌであり、約５μｌから約２５μｌ、約１０μｌから約２０μｌ、約１０μｌから約１５μｌなどである。
【００７０】
１つの観点では、膜領域が、膜領域内の流れチャンネルの頂部壁及び底部壁を分離膜に接触させないように、拡大されている。
【００７１】
１つの観点では、膜領域が、分離膜を支持するための、流れチャンネルの頂部壁及び／又は底部壁から延在する１つ又は複数の支持体を有する。
【００７２】
１つの観点では、支持体のうちの少なくとも１つの支持体が流れチャンネルの底部壁から延在する。
【００７３】
１つの観点では、デバイスが、吸収膜を容易に取り外すように構成される。
【００７４】
１つの観点では、デバイスが遠位端にハンドルをさらに有する。
【００７５】
１つの観点では、ハンドルが、親指又は指を支持するためのギザギザのある円形物を有する。
【００７６】
１つの観点では、デバイスがカバーをさらに有する。
【００７７】
１つの観点では、デバイスが分離膜を有する。
【００７８】
１つの観点では、分離膜が、実質的に溶血なしに赤血球を受け入れる孔径を有する。
【００７９】
１つの観点では、分離膜が、約６μｍから約８μｍなどといったように、最大約８μｍの、赤血球の概略のサイズより大きい平均孔径を有する。
【００８０】
１つの観点では、分離膜がガラス繊維を含む。
【００８１】
１つの観点では、分離膜が、血漿の最前部分と共に移動可能である着色剤を含む。
【００８２】
１つの観点では、デバイスが吸収膜を有する。
【００８３】
１つの観点では、吸収膜が紙パッドを有する。
【００８４】
１つの観点では、吸収膜が分離膜に付着しない。
【００８５】
１つの観点では、吸収膜が、血漿の最前部分と共に移動可能である着色剤を含む。
【００８６】
１つの観点によると、血液試料から血漿を採取するためのデバイスが提供され、このデバイスが、近位端と遠位端との間で延在する流れチャンネルを画定するボディを有し、流れチャンネルが、
血漿から赤血球を濾過する分離膜を支持するための膜領域と、
血漿を採取する吸収膜を支持するための血漿採取領域と、
膜領域を血漿採取領域から分離するためのチャンバと
を有する。
【００８７】
１つの観点によると、チャンバの壁が近位側通気孔を有する。
【００８８】
１つの観点では、近位側通気孔がチャンバの底部壁内にある。
【００８９】
１つの観点では、チャンバの壁が、分離膜内の血漿の表面張力を破壊するための及び／又は分離膜に対応するための突出部を有する。
【００９０】
１つの観点では、チャンバが事前定義されたボリュームを有する。
【００９１】
１つの観点では、事前定義されたボリュームが約５μｌから約５０μｌであり、約５μｌから約２５μｌ、約１０μｌから約２０μｌ、約１０μｌから約１５μｌなどである。
【００９２】
１つの観点では、膜領域が、近位端及び遠位端で分離膜を支持するためのものである。
【００９３】
１つの観点では、膜領域が、膜領域内の流れチャンネルの頂部壁及び底部壁を分離膜に接触させないように、拡大されている。
【００９４】
１つの観点では、膜領域が、分離膜を支持するための、流れチャンネルの頂部壁及び／又は底部壁から延在する１つ又は複数の支持体を有する。
【００９５】
１つの観点では、支持体のうちの少なくとも１つの支持体が流れチャンネルの底部壁から延在する。
【００９６】
１つの観点では、デバイスが、吸収膜を容易に取り外すように構成される。
【００９７】
１つの観点では、デバイスが、取り外し可能に結合され得る２つの部分から形成される。
【００９８】
１つの観点では、デバイスが遠位端にハンドルをさらに有する。
【００９９】
１つの観点では、ハンドルが、親指又は指を支持するためのギザギザのある円形物を有する。
【０１００】
１つの観点では、デバイスがカバーをさらに有する。
【０１０１】
１つの観点では、デバイスが、膜領域の上流に、事前定義されたボリュームを有する流れ経路領域をさらに有し、ここでは、事前定義されたボリュームがチャンバのボリュームより大きい。
【０１０２】
１つの観点では、デバイスが分離膜を有する。
【０１０３】
１つの観点では、分離膜が、血漿の最前部分と共に移動可能である着色剤を含む。
【０１０４】
１つの観点では、分離膜が、実質的に溶血なしに赤血球を受け入れる孔径を有する。
【０１０５】
１つの観点では、分離膜が、約６μｍから約８μｍなどといったように、最大約８μｍの、赤血球の概略のサイズより大きい平均孔径を有する。
【０１０６】
１つの観点では、分離膜がガラス繊維を含む。
【０１０７】
１つの観点では、デバイスが吸収膜を有する。
【０１０８】
１つの観点では、分離膜が、血漿の最前部分と共に移動可能である着色剤を含む。
【０１０９】
１つの観点では、吸収膜が紙パッドを有する。
【０１１０】
１つの観点では、デバイスが、近位端から分離膜を通る形での血液の採取及び流れを可能にし、分離膜で赤血球が保持され、血漿が単一ステップで吸収膜の中まで継続して流れる。
【０１１１】
１つの観点では、デバイスが、流れチャンネルを通る血液の流れを引き起こすのに緩衝剤又は希釈剤を追加することを必要としない。
【０１１２】
１つの観点では、デバイスが、試料を視覚的に検査するための、試料を空気乾燥するための、並びに／或は血漿の流れを妨害することを目的として分離膜及び吸収膜を分離するための、窓をさらに有する。
【０１１３】
１つの観点では、血液試料が抗凝血物質を必要としない。
【０１１４】
１つの観点によると、血液試料から血漿試料を採取するワンステップの方法が提供され、この方法が、分離膜及び吸収膜を有する本明細書で説明されるデバイスに血液試料を与えることと、試料を流れチャンネルの中に吸い込むのを及び試料を流れチャンネルを通して吸い込むのを可能にすることとを含む。
【０１１５】
以下の詳細な説明から本発明の他の特徴及び利点が明らかとなる。しかし、詳細な説明及び具体的な例が、本発明のいくつかの観点を示すものであるが、単に例示として与えられるものであることを理解されたい。その理由は、上記の詳細な説明から、本発明の精神及び範囲内にある多様な変更形態及び修正形態が当業者には明らかとなるからである。
【０１１６】
図を参照する以下の説明から本発明がさらに理解される。
【図面の簡単な説明】
【０１１７】
【図１】本明細書で説明されるデバイスの第１の観点を示す上面斜視図である。
【図２】図１のデバイスを示す底面斜視図である。
【図３】図１のデバイスを示す側面図である。
【図４】図１のデバイスを示す分解斜視図である。
【図５】膜を有さない、図１のデバイスの線５−５に沿う断面図である。
【図６】分離膜及び吸収膜を有さない、図１のデバイスの線５−５に沿う断面図である。
【図７】図６に示されるボックス７を示す詳細図である。
【図８】本明細書で説明されるデバイスの第２の観点を示す上面斜視図である。
【図９】背面部分が取り付けられていない、図８のデバイスを示す底面斜視図である。
【図１０】背面部分が取り付けられている、図９のデバイスを示す底面斜視図である。
【図１１】分離構成である、図８のデバイスを示す上面斜視図である。
【図１２】分離膜及び吸収膜を有する、図８のデバイスの線１２−１２に沿う断面図である。
【図１３】閉構成である、図８のデバイスの血漿採取部分を示す上面斜視図である。
【図１４】吸収膜を有する、図８のデバイスの血漿採取部分を示す分解上面斜視図である。
【図１５】吸収膜を有する、図８のデバイスの血漿採取部分を示す分解底面斜視図である。
【図１６】閉構成である、図８のデバイスの血漿セパレータ部分を示す底面斜視図である。
【図１７】分離膜が挿入された、図８のデバイスの血漿セパレータ部分を示す分解底面斜視図である。
【図１８】分離膜を有する、図８のデバイスの血漿セパレータ部分を示す分解底面斜視図である。
【図１９】分離膜を有する、図８のデバイスの血漿セパレータ部分を示す分解上面斜視図である。
【図２０】本明細書で説明されるデバイスの第２の観点を示す上面斜視図である。
【図２１】背面部分が取り付けられていない、図２０のデバイスを示す底面斜視図である。
【図２２】背面部分が取り付けられている、図２０のデバイスを示す底面斜視図である。
【図２３】分離構成である、図２０のデバイスを示す上面斜視図である。
【図２４】分離構成である、図２０のデバイスを示す底面斜視図である。
【図２５】分離膜及び吸収膜を有する、図２０のデバイスの線２５−２５に沿う断面図である。
【図２６】吸収膜を有する、図２０のデバイスの血漿採取部分を示す分解底面斜視図である。
【図２７】閉構成である、図２０のデバイスの血漿セパレータ部分を示す底面斜視図である。
【図２８】分離膜が挿入された、図２０のデバイスの血漿セパレータ部分を示す分解底面斜視図である。
【図２９】分離膜を有する、図２０のデバイスの血漿セパレータ部分を示す分解上面斜視図である。
【発明を実施するための形態】
【０１１８】
事前定義された既知のボリュームの血漿を全血試料から採取及び分離するためのデバイスが、いくつかの観点において、本明細書で説明される。毛細管作用及び重力の組み合わせを介して、少量であるが十分であるボリュームの血漿が全血から分離されて、デバイス内で保持される吸収膜内で採取される。吸収膜がデバイスから取り外され得、膜内の血漿が回収されて直接に評価され得る。さらに、血球が別途採取され得、やはり評価され得る。
【０１１９】
いくつかの観点では、吸収膜までの試料の流れが、血漿の採取時に試料からの血漿の分離を永久的なものとするように、妨害され得る。言い換えると、使用者が、採取された血漿を不明瞭にする可能性があるか又は採取された血漿に他の形で干渉する可能性がある実質的に溶血が起こり得る前に、吸収膜を分離膜から物理的に分離することにより試料の流れを止めるか又は中断させるという選択肢を有する。本明細書で説明されるデバイスは全血から血漿を容易に分離するのを可能にし、いくつかの観点では、血漿中の被分析物及び／又は残りの血球の計量を可能にする。
【０１２０】
有利には、フィンガー・プリック（ｆｉｎｇｅｒ  ｐｒｉｃｋ）から得られるような少量のボリュームの全血のみが使用のためにデバイス内で採取される必要がある。加えて、採取される血液が抗凝血物質を含む任意の別個の管類まで移送される必要がなく、また、デバイス又は本明細書で共に説明される分離構成要素のうちに任意の構成要素が抗凝血物質を必要としない。さらに、静脈血をミリリットルの範囲で吸い込むような標準的な方法と比較して、マイクロリットルの範囲の得られた少量のボリュームは低コストで配送され得る。加えて、これらの試験は、血液を採取された人を含めた、任意の人によって実施され得る。フィンガー・プリックによる血液試料のみが必要であり、この血液試料がデバイスに適用され、使用者による他の入力を必要とせずにデバイスにより血漿の分離及び採取が自動で実行される。
【０１２１】
この点に関して、試料が家庭において又は任意の他の環境において患者自身により便宜的に採取され得る。次いで、自己採取された試料が試験のためにラボラトリに送られ得る。このような自己採取の方法は毛細管血において知られており、ここでは、吸収ペーパーを使用して毛細管血が採取され、吸収ペーパーが乾燥されてその後の試験のためにラボラトリに送られ得る。しかし、従来の採取方法は少なくとも２つの制約を有する：１）試料ボリュームが不明であり、したがって特には試料の乾燥後に被分析物の濃度が正確に決定され得ない、という制約、及び２）赤血球が特定の試験に干渉する可能性があってしたがって血漿試料が好まれる、という制約。本明細書で説明されるデバイスは、毛細管血を採取すること、血液から赤血球を分離すること、及び既知のボリュームの血漿を自動で隔離すること、が可能である。本明細書で説明されるデバイスの構成は、いくつかの観点では、容易な組み立て及び分解を可能にするために可逆的に接続可能である。
【０１２２】
膜領域を血漿採取領域から分離するためのチャンバを伴う本明細書で説明されるいくつかの観点では、これらの領域が物理的に分離され、膜が互いに接触しない。これにより、分離効率が経時的に低下するというリスクが低減される。その理由は、試料の流れが止まると、溶血が継続して空のチャンバを通って血漿採取領域に入ることができないからである。チャンバを有さない本明細書で説明されるいくつかの観点では、分離膜及び吸収膜が連続しており、互いに妨害可能に流体連通される。試料が流れることが完了すると、膜の間の流体連通が妨害又は中断され得、それにより試料の流れがすべて止められ、赤血球又は溶血した血球（ｈｅｍｏｌｙｚｅｄ  ｂｌｏｏｄ  ｃｅｌｌ）が分離膜を通って吸収膜に入るように低速で流れるリスクが排除される。言い換えると、本明細書で説明されるデバイス内での血漿の分離が永久的であるとみなされる。
【０１２３】
したがって、いくつかの観点では、本明細書で説明されるデバイスがワンステップ・オペレーションを達成することができ、ここでは、毛細管血の少量の試料がデバイスに適用され、既知のボリュームの血漿が得られる。本明細書で説明されるように、全血試料がデバイスに適用され、十分なボリュームが受け取られると、試料がガラス繊維膜などの血漿分離膜に入る。本明細書で説明されるいくつかの観点では、血漿が赤血球から分離されると、血漿が好適なボリュームでチャンバの中に継続して流れる。チャンバが完全に満たされると、血漿が吸収膜の中まで流れる。エア・ベント構造が存在することにより、吸収膜が第２のチャンバ内に保管されるすべての血漿を吸収することになり、吸収膜へのさらなる血漿の流れをすべて終了させる。追加の又は代替の観点では、このデバイスの構成が、分離の完了時に血漿の流れを妨害するのを可能にする。したがって、血漿が採取されると、流れが、例えば、膜を互いから物理的に分離することにより、止められ得る。いくつかの観点では、膜がいかなるポイントにおいも物理的に一体に接続されず、縁部を突き合わせる形で又はわずかに重なる形で、単に互いに接触する。こうすることで、膜が、いくつかの観点では、膜を互いに対して固定するようなバッキング・カードを有さない。例えばハサミなどのいかなるツールも使用することなく、また切り取り線（ｆｒａｎｇｉｂｌｅ  ｌｉｎｅ）を使用することなく、膜が単純に分離され得る。使用されるデバイス（又は、本明細書で説明されるデバイスの部分）は、通常、吸収膜をデバイスから取り外して質量分析法などの試験のために吸収膜内で血漿を溶出することにより、試験のためのラボラトリに送られ得る。膜中の血漿が事前定義された既知のボリュームであることを理由として、実現される試験が定量的になり得る。
【０１２４】
（定義）
本明細書で使用される「近位側」という用語は血液採取端部により近いデバイスの部分を意味し、対して本明細書で使用される「遠位側」という用語は血漿分離端部により近いデバイスの部分を意味する。「上流」及び「下流」という用語は、近位端（上流）から遠位端（下流）までの流体の流れを意味する。流体の「最前部分」は、デバイスの近位端から遠位端まで流体が流れるときの流体の下流側の縁部を意味する。
【０１２５】
「被分析物」という用語は、定量的に又は定性的に測定される任意の化学物質又は生物学的物質を包含することを意図される。典型的ないくつかの観点では、被分析物は、血漿試料中に見られる被分析物である。被分析物には、小分子、タンパク質、抗体、ＤＮＡ、ＲＮＡ、核酸、糖質、脂質、有機アナボライト（ｏｒｇａｎｉｃ  ａｎａｂｏｌｉｔｅ）又は有機代謝産物（ｏｒｇａｎｉｃ  ｍｅｔａｂｏｌｉｔｅ）、ウイルス構成分又はインタクト・ウイルス、バクテリア成分又はインタクト・バクテリア（ｉｎｔａｃｔ  ｂａｃｔｅｒｉａ）、細胞組成、又は無傷細胞、並びにその複合種及び派生物が含まれてよい。
【０１２６】
例えば、本明細書で説明されるデバイスは、訓練された医療従事者を必要とすることなく被験者から血漿試料を迅速且つ容易に得るのに特に使用されるものである。単純なフィンガー・プリックによる血液試料が得られてデバイスの近位端に適用され得、そこで血液試料が流れ経路の中に吸い込まれる。十分なボリュームの試料が得られると、試料が分離膜を通って流れ、赤血球及び他の細胞質の物質を分離し、下流側の端部において血漿試料を得る。次いで、既知のボリュームの通気チャンバの中に入ることにより、事前定義されたボリュームの血漿が吸収パッドに入ることが可能となる。次いで、血漿を含む吸収パッドが従来の方法によって分析され得、それにより中に存在する任意の所望の被分析物を特定し、任意選択で計量する。同様に、血漿の上流にある保持されている細胞質の物質が従来の方法によって分析され得、それにより中に存在する任意の所望の被分析物を特定し、任意選択で計量する。
【０１２７】
本出願の範囲を理解することにおいて、冠詞「ａ」、「ａｎ」、「ｔｈｅ」、及び「ｓａｉｄ」は、要素のうちの１つ又は複数の要素が存在することを意味することを意図される。加えて、本明細書で使用される「ｃｏｍｐｒｉｓｉｎｇ」という用語及びその派生語は、言及する特徴、要素、構成要素、グループ、整数、及び／又はステップの存在を明確に示すオープンエンドな用語（ｏｐｅｎ  ｅｎｄｅｄ  ｔｅｒｍ）であることを意図され、言及されない他の特徴、要素、構成要素、グループ、整数、及び／又はステップの存在を排除しない。上記は、「ｉｎｃｌｕｄｉｎｇ」、「ｈａｖｉｎｇ」という用語及びそれらの派生語などの、同様の意味を有する単語にも適用される。
【０１２８】
特定の構成要素を「ｃｏｍｐｒｉｓｉｎｇ」するという形で説明されるいかなる観点も「ｃｏｎｓｉｓｔ  ｏｆ」又は「ｃｏｎｓｉｓｔ  ｅｓｓｅｎｔｉａｌｌｙ  ｏｆ」であってもよく（逆も同様）、ここでは、「ｃｏｎｓｉｓｔｉｎｇ  ｏｆ」はクローズドエンドな意味又は限定的な意味を有し、「ｃｏｎｓｉｓｔｉｎｇ  ｅｓｓｅｎｔｉａｌｌｙ  ｏｆ」は、明確に示される構成要素を含むが、不純物として存在する物質、構成要素を提供するのに使用されるプロセスの結果として存在する回避することができない物質、及び本明細書で説明される技術的効果を達成すること以外の目的のために追加される構成要素を除いて、他の構成要素を排除する、ことを意味する、ことを理解されたい。
【０１２９】
本明細書において含まれるものとして定義されるいかなる構成要素も、本明細書で暗に定義されるか又は明確に定義されるかに関わらず、但し書きにより又は消極的な限定により、特許請求される本発明から明確に排除される可能性があることを理解されたい。加えて、本明細書で与えられるすべての範囲は、明確に記述されているかどうかに関わらず、範囲の端さらには範囲のすべての中間ポイントを含む。
【０１３０】
最後に、本明細書で使用される「ｓｕｂｓｔａｎｔｉａｌｌｙ」、「ａｂｏｕｔ」、及び「ａｐｐｒｏｘｉｍａｔｅｌｙ」などの程度を表す用語は、修飾される用語の妥当な逸脱量を意味し、したがって最終的な結果は有意に変更されない。程度を表すこれらの用語は、逸脱によりそれらが修飾する単語の意味を打ち消さない場合には、修飾される単語の少なくとも±５％の逸脱を含むものとしてみなされるべきである。
【０１３１】
（ラテラル・フロー・デバイス）
図１から７が、血液試料から血漿を採取するためのラテラル・フロー・デバイス１０の第１の観点を示す。図８から１９が、血液試料から血漿を採取するためのラテラル・フロー・デバイス１００の第２の観点を示す。
【０１３２】
図１から７に示されるように、デバイス１０が近位端１２及び遠位端１４を有する。近位端１２において、血液試料が、指先からの円滑な試料の流れのためのノッチ１６又は他の印によって通常は境界を画定される領域内に適用される。遠位端１４が、例えば凹形の中央部分を有する円形物などの、親指又は指によって容易に保持されるように成形されたハンドル１８を有する。デバイス１０が、通常、血漿の乾燥を促進するための及び血漿が成功裏に採取されたかどうかを観察するための開いている窓２０を有する。任意選択で、採取が成功である場合に線（ｌｉｎｅ）などの比色的変化（ｃｏｌｏｒｉｍｅｔｒｉｃ  ｃｈａｎｇｅ）が起こってよい。
【０１３３】
デバイス１０が、通常、頂部２２及び底部２４である２つの別個の部片から形成され、頂部２２及び底部２４が摩擦嵌合又はスナップ嵌合などの取り外し可能な手法で一体に結合される。一体に結合されるとき、デバイスの頂部２２及び底部２４が図５〜７に最も良好に示されるように流れチャンネル２６を形成する。デバイス１０が、通常、血漿から赤血球を分離するように機能する分離膜２８と、血漿を吸収して、赤血球を含む分離膜２８から赤血球を分離した状態で維持するように機能する吸収膜３０とを有し、分離膜２８及び吸収膜３０の両方がラテラル・フローの膜（ｌａｔｅｒａｌ  ｆｌｏｗ  ｍｅｍｂｒａｎｅ）である。図５が、定位置にある分離膜２８及び吸収膜３０を有さない流れチャンネルを示しており、対して図６及び７が、定位置にある分離膜２８及び吸収膜３０を有する流れチャンネルを示す。
【０１３４】
流れチャンネル２６がデバイス１０の近位端１２で始まり、ここで、血液試料が流れチャンネル２６に入る。流れチャンネル２６が、流れチャンネル２６の手前の上流側の領域より大きい断面を有するチャンバとなるように広くなっている膜領域３２を有する。流れチャンネル２６が膜領域３２の直接の近位側にある傾斜部分３３を有し、傾斜部分３３が膜を定位置で保持すること及び膜に入るように血液試料を付勢することを補助する。特定の領域において流れチャンネル２６のボリュームを低減することにより、分離膜２８が毛細管力を用いて血液試料を吸い込むことができる。図面では、流れチャンネルが完全な平坦ではなく、試料の流れの方向の下流に移動するにつれて下降するように流れていることが分かる。こうすることで、試料が下流に移動するにつれて毛細管力及び重量の両方が試料に作用することになる。したがって、通常、分離膜２８は、分離膜２８の頂部側から血液試料が入るようになるように、流れチャンネル２６内で保持される。分離膜２８の上流において十分なボリュームが流れチャンネルに吸い込まれるまでは、血液が分離膜２８の中へ流れ始めない。こうすることで、十分な量の血液が適用される場合のみ、デバイスが血漿の分離及び採取を完了するように動作する。
【０１３５】
述べたように、流れチャンネル２６の膜領域３２が、流れチャンネル２６の残りの部分より大きいボリュームを有するように広くなっている。分離膜２８が定位置にある場合、分離膜２８を完全に通過するように血液を移動させる毛細管トラップ３６が作られる。これにより、血液が分離膜２８を通るのではなく分離膜２８の中で動き回るように流れることが回避され、また、血液試料から血漿を完全に分離することが促進され、その結果、赤血球が分離膜２８内で保持され、血漿のみが流れチャンネル２６を通って継続して流れる。膜領域３２が、分離膜２８を定位置で維持するのを補助する、及び分離膜２８の血液の飽和時に起こる可能性がある垂れを低減する１つ又は複数の支持体３８を有することができる。
【０１３６】
膜領域３２に続いて、流れチャンネル２６が、分離膜２８を定位置で保持すること及びチャンバ４０の中への血漿の継続的な下流への流れを付勢することの両方のための収縮部分３４において再び収縮しており、収縮部分３４は通常、膜を一切含まず、流れ経路内の単純な開領域である。チャンバ４０が、通常、流れ経路の近位側領域より小さい断面を有する。チャンバ４０の中への血漿の円滑な流れを保証するために、この領域は、流れチャンネル２６の上流側領域から試料を吸い込むためにより大きい毛細管力を有さなければならない。定量デバイスでは、チャンバ４０が事前定義されたボリュームを有し、チャンバ４０の底部壁内にある近位側通気孔４２を使用することにより、この事前定義されたボリュームのみを吸収膜３０に入れるよう、に設計される。通気孔４２が、吸収膜３０より小さいがチャンバ４０と等しいか又はチャンバ４０より大きい毛細管力を有する。こうすることで、血漿採取領域４４内で定位置で保持される吸収膜３０に対して血漿の最前部分が接触するようになるまで、チャンバ４０が気泡を有さないように通気孔４２から血漿で満たされることになる。接触すると、血漿が十分な力で吸収膜３０の中に吸い込まれることになり、その結果、通気孔４２が、分離膜２８からの別の血漿ではなく空気をチャンバ４０に入れるのを可能にする。これにより、吸収膜３０内で所定のボリュームの血漿が得られるようになり、チャンバ４０内で気泡が得られるようになり、この気泡がさらなる流れに対してのバリアとして効果的に機能する。
【０１３７】
試験が完了すると、頂部２２を保持してハンドル１８を押圧することによりデバイス１０が容易に分離され得、その結果、吸収膜３０が必要に応じて乾燥及び配送され得るか、又はデバイスが血漿試験のためにラボラトリに直接に配送され得る。
【０１３８】
分離膜２８及び吸収膜３０の容易な製造、並びに挿入及び取り外しのために、述べたように、デバイス１０は、通常、図３から７に示されるように、対合する頂部分２２及び底部分２４によって形成される。デバイス１０は単一ユニットとして形成されてもよい。示されるように、頂部分２２及び底部分２４を一体に保持する対合する摩擦嵌合構成要素４６及び４８が存在する。示されるように、これらの構成要素が、頂部２２及び底部２４を互いを基準として枢動させるのを可能にし、それにより試験のためにデバイス１０を開けて吸収膜３０を取り外すのを容易にする。
【０１３９】
図８から２９が、近位端１１２及び遠位端１１４をやはり有するデバイス１００の第２の観点を示す。遠位端１１４がハンドル１１８を有する。デバイス１００が、通常、吸収膜１３０が湿っているかどうかを使用者が確認するのを可能にするために試料の視覚的検査を可能にする開いている窓１２０を有する。これにより、血漿の採取が完了したことの高い信頼性の指示が与えられることになる。任意選択の実施例では、吸収膜１３０が、他の点において試験に影響しないような単純な食用色素又は既知の着色試薬などの、血漿の最前部分と共に移動可能である着色剤を含むことができる。こうすることで、最前部分の移動が容易に視覚化される。さらに、特には吸収膜１３０が乾燥される場合などの、採取された血漿が吸収膜１３０の全体を満たすには不十分である量である場合、着色された最前部分から充填領域が容易に特定される。湿っている場合は血漿の最前部分は色を有さない場合でも可視となり得るが、着色剤が別途含まれる場合、血漿が乾燥した後でも血漿の最前部分を特定することが補助されることになり、着色剤が含まれない場合では血漿の最前部分を視覚化することが困難である。いくつかの観点では、この可動の着色剤が量制御用の特徴として機能し、この場合、試料の配送先であるラボラトリが、意図される通りに血漿により吸収膜１３０の全体が満たされているかどうかを、又は試験が不完全であったかどうかを確認することができる。吸収膜１３０が計量され得、定量試験を依然として維持することを目的として、着色された最前部分において切断されて再び計量され得る。
【０１４０】
さらに、窓１２０が、分離された血漿を含む吸収膜１３０を効率的に且つ迅速に乾燥するのを可能にする。さらに、窓１２０が存在するということが、吸収膜１３０が空気に対して開いており、したがって、デバイス１０について既に説明したような通気孔４２が通常は含まれない、ということを意味する。しかし、所望される場合、通気孔が任意選択で含まれてもよい。図１２が、定位置にある分離膜１２８及び吸収膜１３０を有する流れチャンネル１２６を示す。
【０１４１】
やはり、第１の観点のデバイス１０と同様に、デバイス１００が、通常、流れチャンネル１２６、分離膜１２８、及び吸収膜１３０を有し、分離膜１２８及び吸収膜１３０の両方がラテラル・フローの膜である。膜１２８、１３０が、図８に示されるように、流れチャンネル１２６に流体連通され、第１の配置構成において互いに流体連通される。図１１に示されるように、第２の配置構成において、膜を互いから物理的に切り離すことにより、血漿の流れが妨害され得（速度を低下されるか、止められるか、又は遮断される、など）、それにより膜１２８、１３０が互いに流体連通されなくなる。
【０１４２】
図１１で最も良好に見ることができるように、デバイス１００が、血漿採取領域１４４及び膜領域１３２である２つの別個の領域を有し、血漿採取領域１４４及び膜領域１３２が摩擦嵌合又はスナップ嵌合などにより取り外し可能に一体に結合される。血漿採取領域１４４及び膜領域１３２がこのように接続されることにより、デバイス１００が完全に組み立てられるときに血漿採取領域１４４及び膜領域１３２が意図されず分離することが低減される。これは、２つの領域１３２、１４４の結合又は血漿採取領域１４４及び膜領域１３２を作るように結合される膜の結合が、後で説明するように、互いに対しての取り付けのために接着剤を必要としないという点で有利である。これにより領域１３２、１４４（又は、後で説明されるその構成要素）が容易に組み立てられたり分解されたりすることが可能となることに加えて、それに付随する使用者にとっての乱雑さ（例えば、粘着性を有する接着剤製品を取り扱うこと）が低減される。
【０１４３】
図１３〜１５が血漿採取領域１４４をより詳細に示す。血漿採取領域１４４が取り外し可能に一体に結合される頂部分１０１及び底部分１５０を有し、それにより吸収膜１３０を保持するための組み立てられた血漿採取領域１４４を形成する（図１４）。いくつかの観点では、血漿採取領域１４４が、デバイス１００の遠位端１４４でハンドル１１８を有する。
【０１４４】
血漿採取領域１４４の頂部分１０１が頂表面１０６（図１４）及び底部表面１０８（図１５）を有する。いくつかの観点では、頂表面１０６が、吸収膜１３０の視覚的検査並びに／或は分離又は取り外しのための窓１２０を有する。頂表面１０６が横方向突出部１６０を有し、横方向突出部１６０が頂部分１０１の長さにわたって延びていてよいか又は頂部分１０１の一部分のみにわたって延びていてよい。横方向突出部１６０は、デバイスを組み立てるとき又は使用するときに膜領域１３２の頂表面１０５に結合されるためのものである。
【０１４５】
頂部分１０１の底部表面１０８が溝１６８を有し、溝１６８が底部表面１０８の長さにわたって延びていてよいか又は底部表面１０８の一部分にわたって延びていてよい。本明細書で説明される表面上でのそれらの位置を含めた、突出部１６０及び溝１６８のそれぞれの長さは限定的であるとみなされない。
【０１４６】
血漿採取領域１４４の底部分１５０が頂表面１５１及び底部表面１５３を有する。頂表面１５１が頂表面１５１から上方に延在する突出部１７０を有し、突出部１７０が、例えば、頂部分１０１の底部表面１０８の溝１６８に対応する。底部分１５０が、頂部分１０１との接続を容易にするための横方向突出部１６４をさらに有することができる。頂部分１０１及び底部分１５０が例えば溝１６８及び突出部１７０を介して接続されるとき、吸収膜１３０が血漿採取領域１４４内の定置で保持される。吸収膜１３０を含む血漿採取領域１４４は、膜領域１３２から切り離されると、膜血漿採取領域１４４から吸収膜１３０を取り外すのを必要とすることなく、さらなる試験及び分析のためのラボラトリに送られ得る。別法として、吸収膜１３０が血漿採取領域１４４から取り外されて、乾燥され、さらなる試験のためにラボラトリに送られてもよい。
【０１４７】
いくつかの観点では、底部分１５０が、底部表面１５３に接続可能であるスタンド部材１５８を有する。スタンド部材１５８はデバイス１００を例えばテーブルの上に載置するのに有用である。いくつかの観点では、スタンド部材１５８は傾斜表面を有し、血漿が分離膜１２８から吸収膜１３０まで下方に移動するのを容易にする。スタンド部材１５８はさらに、本明細書で説明されるように、一方の手でデバイスを保持することなく血液試料をデバイス１００に適用するのに「ハンズフリー」の選択肢を使用者に提供する、という点で有利である。
【０１４８】
図１６〜１９及び２７〜２９がデバイス１００の膜領域１３２をより詳細に示す。膜領域１３２が、やはり取り外し可能に一体に結合される頂部分１０３及び底部分１５２を有し、それにより分離膜１２８を保持するための組み立てられた膜領域１３２を形成する（図１７）。
【０１４９】
膜領域１３２の頂部分１０３が頂部分１０５（図１９）及び底部分１０７（図１７）を有する。頂表面１０５が、デバイス１００を使用のために組み立てるときに血漿採取領域１４４の一部分を囲んで血漿採取領域１４４に係合されるためのアーム部材１５４、１５６を有する。アーム１５４、１５６は、血漿採取領域１４４及び膜領域１３２を取り外し可能に一体に結合するために血漿採取領域１４４に対応する限りにおいて、任意の形状であってよい。例えば、上述したように、膜領域１３２の頂表面１０５が血漿採取領域１４４の横方向突出部１６０と相互作用し、それにより血漿採取領域１４４と膜領域１３２との間での取り外し可能な結合をなす。
【０１５０】
頂部分１０３の底部表面１０７が溝１８２を有し、溝１８２が底部表面１０７の長さのわたって延びていてよいか又は底部表面１０７の一部分にわたって延びていてよい。溝１８２の長ささらには本明細書で説明される表面上での溝１８２の位置は、頂部分１０３を底部分１５２に取り外し可能に結合するように機能する限りにおいて、限定的であるとみなされない。膜領域１３２の底部分１５２が頂表面１５５及び底部表面１５７を有する。頂表面１５５が、デバイス１０に対して説明したように、分離膜１２８を定位置で維持するのを補助する、及び分離膜１２８の血液の飽和時に起こる可能性がある垂れを低減する支持体１３８を有することができる。
【０１５１】
底部分１５２が、頂部分１０３の底部表面１０７の溝１８２に対応する横方向突出部１８０をさらに有する。頂部分１０３及び底部分１５２が例えば溝１８２及び突出部１８０を介して接続されるとき、分離膜１２８が組み立てられた膜領域１３２内の定位置で保持される。
【０１５２】
血漿採取領域１４４と膜領域１３２との間での、及び／又はそれらのそれぞれの頂部分１０１、１０３と底部分１５０、１５２との間での（例えば、上で言及した「構成要素」など）、取り外し可能な結合に関して、本明細書で説明される範囲内において、解除可能な（例えば、取り外し可能な）取り付けを実現する他の既知の方法も可能であることが当業者には容易に明らかとなろう。
【０１５３】
デバイス１０に対して説明したように、試料が流れチャンネル１２６を通って流れるとき、デバイス１００の流れチャンネル１２６が、流れチャンネル１２６の残りの部分より大きいボリュームを有するようにやはり広くなっている。やはりデバイス１０と同様に、分離膜１２８が定位置にあるとき、毛細管トラップ１３６が作られ、それにより血液が分離膜１２８を完全に通過するように移動させられる。これにより、血液が分離膜１２８を通るのではなく分離膜１２８の中で動き回るように流れることが回避され、また、血液試料から血漿を完全に分離することが促進され、その結果、赤血球が分離膜１２８内で保持され、血漿のみが流れチャンネル１２６を通って継続して流れる。
【０１５４】
一体に結合されているとき、膜領域１３２の頂部分１０３及び底部分１５２が流れチャンネル１２６を形成し、流れチャンネル１２６が、デバイス１０と同様に、デバイス１００の近位端１２２で始まる。流れチャンネル１２６が、デバイス１０の傾斜部分と同様に機能する傾斜部分１３３を有することができる。デバイス１００の流れチャンネル１６２の説明は、デバイス１０に対しての説明と同じであり、したがってデバイス１００に対して繰り返し説明する必要はない。
【０１５５】
通常、分離膜１２８は、分離膜１２８の頂部側から血液試料が入るようになるように、流れチャンネル１２６内で保持される。図１２で見ることができるように、膜領域１３２の底部分１５２の頂表面１５５が分離膜１２８の頂部側と実質的に面一であり、それにより血液試料が膜１２８の頂部側に入ることが可能となる。デバイス１０に対して説明したように、分離膜１２８の上流において十分なボリュームが流れチャンネルに吸い込まれるまでは、血液が分離膜１２８の中へ流れ始めない。こうすることで、十分な量の血液が適用される場合のみ、デバイス１００が血漿の分離及び採取を完了するように動作する。
【０１５６】
図２０から２９がデバイス１００のデザインに対してのいくつかの修正形態を示しており、ここでは、分離膜１２８及び吸収膜１３０を定位置で保持するのを及び蒸発を低減するのを補助するための、並びに組み立てを改善するための、追加の特徴が含まれる。
【０１５７】
図２０を参照すると、デバイス１００の上面図が示されている。構成要素はすべて、図８から１９で確認される構成要素と概して同じである。図２０では、膜領域１３２の頂部分１０３が舌部２００を有して示されており、舌部２００が遠位端１１４の方に延在して窓１２０の一部分及び吸収膜１３０を覆う。こうすることで、舌部２００が窓１２０から血漿が過度に早期に蒸発するのを低減し、それにより流れを改善し、吸収膜１３０内での血漿のボリュームの正確さを向上させる。
【０１５８】
図２０及び２３に示されるように、舌部２００が、血漿採取領域１４４の頂部分１０１の窓１２０内の対応するくぼみ２０４に係合される突出部２０２を有する。舌部２００は、膜領域１３２及び血漿採取領域１４４を使用のための適切な位置で保持し、さらには上で述べたように蒸発を低減するのを補助する。
【０１５９】
図２８が、デバイス１００の膜領域１３２の頂部分１０３及び底部分１５２を係合させる代替の方法を示している。この実施例では、底部分１５２が２つのポスト２０６を装備し、２つのポスト２０６がデバイス１００の頂部分１５２内の対応する空洞２０８に係合される。これらは例えばスナップ嵌合又は摩擦嵌合により係合され得る。
【０１６０】
図２５、２６、及び２９が、分離膜１２８及び／又は吸収膜１３０を定位置で保持するのを補助するピン２１０を示している。これらのピンは単純に膜１２８及び／又は１３０をわずかに付勢するものであり、それにより、使用時に、又は膜領域１３２及び血漿採取領域１４４の分離時に、移動する可能性を低減する。
【０１６１】
吸収膜１３０が事前定義されたボリュームを有し、この事前定義されたボリュームのみを、血漿採取領域１４４内で定位置で保持される吸収膜１３０に入れるように、設計される。血漿が分離膜１２８の縁部に到達すると、血漿が毛細管力により吸収膜１３０の中に吸い込まれる。例えば膜１２８、１３０が隣接して接触している（例えば、それらの縁部の間で縁部を突き合わせる形での接触）場合又は膜１２８、１３０が重なっている場合などの、膜１２８、１３０の配置構成に応じて、血漿が吸収膜１３０の縁部の中に吸い込まれるか又は吸収膜１３０の頂部側に吸い込まれる。血漿が吸収膜１３０の中に採取されると、吸収膜１３０のボリュームが既知であることにより、吸収膜１３０内には所定のボリュームの血漿が提供されることになる。
【０１６２】
デバイス１００が組み立てられると、吸収膜１３０が血漿採取領域１４４内に収容され、分離膜１２８が膜領域１３２内に収容される。膜１２８、１３０が各々と水平方向に繋げられていてよいか（例えば、それらの縁部の間で縁部を突き合わせる形で接触している）、又は互いに重なっていてよい（吸収膜１３０が分離膜１２８に重なる、又はその逆、など）。いくつかの観点では、膜が血漿の流れのための連続する表面を形成する。それらの配置構成に関係なく、膜１２８、１３０が互いに流体連通され、流れチャンネル１２６に流体連通される。膜１２８、１３０が互いに重なり合っているか、又はそれらの縁部において互いに接触しているかに関わらず、膜１２８、１３０を通る流れチャンネル１２６からの血漿の流れが連続的なものとなる。これにより、デバイス１００を通る血漿の流れの速度を上げる。有利には、膜１２８、１３０が互いに繋がっていることで（例えば、隣接する形で横方向において接触することにより、又は重なり合う形で接触することにより）、これらの膜を密接に物理的に接触した状態から単純に外すことにより、流れチャンネル１２６を通る血漿の流れ（例えば、分離膜１２８を通る、吸収膜１３０までの）を妨害するか又は完全に止めることが可能となる。
【０１６３】
いくつかの観点では、横方向において隣接する配置構成であるか又は重なる配置構成であるとき、膜１２８、１３０が膜１２８、１３０の間での接着接続（例えば、裏当てストリップなどを介して互いに物理的に接続されること）を必要としない。こうすることで、デバイス１０、１００（本明細書で説明されるそれらの結合に関連して）及び膜１２８、１３０（本明細書で説明される、互いを基準としたそれらの配置構成に関して）、接着剤を用いない。上で述べたように、これにより、組み立て、分解、及び使用に付随する乱雑さが制限されるという利点が追加され、膜の分離が単純で効率的なものとなる。
【０１６４】
加えて、デバイス１００が互いに取り外し可能に結合され得る２つの領域１４４、１３２を有することを理由として、領域１４４、１３２を互いから切り離すことにより、吸収膜１３０が分離膜１２８から物理的に分離され得る（又は、取り外され得る）。こうすることで、血漿の流れが妨害され得る（例えば、止められ得るか又は遮断され得る）。さらに、膜１２８、１３０が互いに接触していないとき（例えば、縁部を突き合わせる配置構成又は重なる配置構成ではないとき）、膜１２８、１３０は互いに流体連通されていないが、膜１２８、１３０が互いに接触しているときは、流体連通されている。したがって、２つの配置構成を採用することにより（膜１２８、１３０が流体連通される第１の配置構成、及び膜１２８、１３０が流体連通されない第２の配置構成）、血漿の流れの妨害を見ることができる。第２の配置構成では、血漿の流れが妨害される。こうすることで、互いを基準とした膜１２８、１３０の配置構成（例えば、本明細書で説明される第１及び第２の配置構成）を介して膜１２８、１３０の間の流体連通を制御することにより、血漿の流れが制御され得る。
【０１６５】
いくつかの観点では、分離が永久的である。いくつかの観点では、血漿の流れの速度が低下される（例えば、膜１２８、１３０を互いに部分的に分離することにより）。いくつかの観点では、例えば、膜１２８、１３０を互いから完全に分離するか又は取り外すことにより、血漿の流れが遮断される。本明細書で説明されるように、血漿の流れを遮断するか又は止めること（例えば、妨害すること）が、使用者の要求に応じて、不可逆的であってよいか、可逆的であってよいか、永久的であってよいか、又は一時的であってもよい。
【０１６６】
血漿採取プロセスが完了すると（つまり、血漿が吸収膜１３０に吸い込まれてしたがって事前定義されたボリュームで採取されると）、又は上述したように血漿の流れが妨害されると、必要に応じて、吸収膜１３０が、取り外され、乾燥され、配送され得るか、又はデバイス（完全な形として、又は血漿採取領域１４４として）が血漿試験のためのラボラトリに直接に配送され得る。
【０１６７】
本明細書で説明されるデバイスでは、任意の分離膜２８、１２８及び／又は吸収膜３０、１３０が使用され得ることを理解されたい。特定の観点では、膜は、各々のその全体が参照により本明細書に組み込まれている、米国特許第７，７８５，８６５号、米国特許第８，１１９，３９３号、又は米国特許第７，２３８，５３８号、或は国際特許出願公開第ＷＯ２００９／１４３６０１号又は国際特許出願公開第ＷＯ２０１３／１５５６１７号で説明される膜である。通常、吸収膜３０、１３０が、固定のボリュームの血漿を採取するのを可能にする固定のサイズを有する。これにより本明細書で説明されるデバイスの定量的性質が向上する。しかし、膜２８、１２８、３０、１３０のサイズ及び形状が図に見られるサイズ及び形状のみに限定されず、本明細書で説明されるデバイス内での使用を可能にするような修正である限りにおいて、修正されてもよいことに留意することが重要である。このことは当業者には理解されよう。加えて、デバイス１００上の窓１２０のサイズが変化することができることを理由として、吸収膜１３０のサイズも変化し得る。こうすることで、デバイス１００が、吸収膜１３０の長さ及びひいては採取される血漿の量を変化させるのを可能にする。
【０１６８】
本明細書で説明される採取ユニットは特には毛細管血の試料の採取での使用に特に適するが、例えば、細胞懸濁液、細胞培養上清、唾液、口腔液、脳脊髄液、羊水、母乳、初乳、乳腺分泌液、リンパ液、尿、汗、涙液、胃液、滑液、粘液、又はその組み合わせなどの、そこから固体物質を濾過することが所望される可能性がある任意の流体を採取するのにも使用され得ることを理解されたい。
【０１６９】
本明細書で説明されるデバイスは、少量のボリュームの血液試料と共に使用されるのに適し、これは、１ｍｌ以下、約１μｌから約１ｍｌ、約１μｌから約５００μｌ、約１μｌから約２５０μｌ、約１μｌから約１００μｌ、約１μｌ、約５μｌ、約１０μｌ、約１５μｌ、約２０μｌ、約２５μｌ、約３０μｌ、約３５μｌ、約４０μｌ、約４５μｌ、約５０μｌ、約６０μｌ、約７０μｌ、約８０μｌ、又は約９０μｌから、約５μｌ、約１０μｌ、約１５μｌ、約２０μｌ、約２５μｌ、約３０μｌ、約３５μｌ、約４０μｌ、約４５μｌ、約５０μｌ、約６０μｌ、約７０μｌ、約８０μｌ、約９０μｌ、又は約１００μｌまで、の血液などである。
【０１７０】
通気孔４２をデバイスの底部壁内にあるものとして説明してきた。代わりに、通気孔４２が頂部壁又は側壁内にあってもよいか、或は頂部壁、底部壁、又は側壁の組み合わせの中にあってもよいことを理解されたい。また、通気孔４２はデバイスの１つ又は複数の壁にわたって延びていてもよい。
【０１７１】
流れチャンネルが試料の流れ方向においてデバイスの近位端から遠位端まで下降する形で通常は延在し、その結果、重力が、流れ経路に沿って試料を移動させることに伴う毛細管力を補助することができる、ということを上で説明してきたが、流れチャンネルが平坦又は実質的に平坦であってもよいことを理解されたい。したがって、血液試料が分離膜２８の横側からつまり横方向の縁部から入ることができることも企図される。
【０１７２】
（使用方法）
使用時、本明細書で説明されるデバイス１０、１００がノッチ１６における全血試料の近くに配置され、その結果、血液試料が流れチャンネル２６、１２６の中に吸い込まれる。十分なボリュームが採取されると、血液試料の最前部分が分離膜２８、１２８に接触して分離膜２８、１２８の中に吸い込まれ、分離膜２８、１２８では、赤血球が保持され、血漿が継続して移動する。いくつかの観点では、血漿が収縮部分３４に接触すると、これが表面張力を破壊するのを補助し、それにより血漿がチャンバ４０に入ることが可能となる。血漿の最前部分が吸収膜３０に接触するまで、血漿が継続してチャンバ４０を充填する。いくつかの観点では、横方向において接触する配置構成又は重なる配置構成などの、吸収膜１３０を基準とした分離膜１２８の配置構成が膜１２８、１３０を互いに流体連通させるのを可能にし、加えて、分離された血漿を分離膜１２８から吸収膜１３０まで容易に移送することも可能にする。本明細書で説明されるように、この観点では、窓１２０が存在することで、デバイス１０の通気孔４２の必要性が打ち消される。しかし、その機能性が所望される場合、デバイス１００に通気孔４２が含まれてもよい。
【０１７３】
本明細書で説明されるデバイス１０の第１の実施例の吸収膜３０に接触すると、血漿が十分な力で吸い込まれ、その結果、空気が通気孔４２からチャンバ４０に入ることになり、それによりより多くの血漿が分離膜２８からチャンバ４０に入ることが防止される。こうすることで、吸収膜３０内で採取される血漿の量がチャンバ４０のボリュームに対応することになり、したがって吸収膜３０内には所定の既知の量の血漿が存在することになり、それにより、分離及び採取された血漿に対しての定量的評価が可能となる。定量試験が必要ではない場合、通気孔４２は排除されてよい。
【０１７４】
本明細書で説明されるデバイス１００の第２の実施例の吸収膜１３０に接触すると、いくつかの観点では、吸収膜１３０が予め決定される固定のサイズを有することを理由として、血漿が吸収膜１３０に到達した後で吸収膜１３０内で採取された血漿の量が吸収膜１３０のボリュームに対応することになり、それにより分離及び採取された血漿の定量的評価が可能となる。
【０１７５】
いくつかの観点では、分離膜１２８及び／又は吸収膜１３０において着色剤を含むことにより（ここでは、着色剤が流体及び試料の存在時に可動となり、試料及び得られる血漿の最前部分と共に流れることになる）、血漿の最前部分を特定すること及び血漿採取プロセスの完了を確認することが補助される。上で述べたように、吸収膜３０、１３０が乾燥されると、血漿の最前部分の流れが止まった場所を視覚化することが困難となる可能性がある。吸収膜３０、１３０が乾燥されても、移動可能な着色剤は可視状態を維持し、それにより量の制御を補助し、また、所望される場合に定量的結果をさらに得るために吸収膜３０、１３０を切断してよい場所のための視覚的な印を提供する。
【０１７６】
血漿が吸収膜３０、１３０内で採取されると、デバイス１０、１００が、さらなる処理のためのラボラトリに配送され得る。デバイス１００に関しては、これはデバイス１００全体であってよいか、又は本明細書で説明される血漿採取領域１４４のみであってよい。別法として、デバイス１０、１００が開けられてもよく、吸収膜３０、１３０が乾燥されて、中心的な試験施設に容易に配送され得るか、又は直接に試験されてもよい。同様に、全血試料から血漿を分離した後に残る細胞質の物質に対して試験を実行することが望まれる場合、分離膜２８、１２８が吸収膜３０、１３０とは別個に又は共に配送され得る。
【０１７７】
上記の開示は概して本発明を説明するものである。状況によって示唆され得るか又は状況によって好都合となり得る場合には変更形態及び均等物の置き換えが企図される。本明細書では具体的な用語を採用してきたが、これらの用語は説明的な意味であることを意図され、限定することを目的とはしていない。
【０１７８】
上で引用されるすべての刊行物、特許、及び特許出願は、各々の個別の刊行物、特許、又は特許出願が、参照によりその全体が組み込まれていることを具体的に且つ個別に示されているとする場合と同程度で、参照によりその全体が本明細書に組み込まれている。
【０１７９】
本明細書で本発明の好適な観点を詳細に説明してきたが、本発明の精神又は添付の特許請求の範囲の範囲から逸脱することなく、本発明の好適な観点に対して変形形態が作られることが当業者には理解されよう。
【図１】
2021527212.tif 000003
【図２】
2021527212.tif 000004
【図３】
2021527212.tif 000005
【図４】
2021527212.tif 000006
【図５】
2021527212.tif 000007
【図６】
2021527212.tif 000008
【図７】
2021527212.tif 000009
【図８】
2021527212.tif 000010
【図９】
2021527212.tif 000011
【図１０】
2021527212.tif 000012
【図１１】
2021527212.tif 000013
【図１２】
2021527212.tif 000014
【図１３】
2021527212.tif 000015
【図１４】
2021527212.tif 000016
【図１５】
2021527212.tif 000017
【図１６】
2021527212.tif 000018
【図１７】
2021527212.tif 000019
【図１８】
2021527212.tif 000020
【図１９】
2021527212.tif 000021
【図２０】
2021527212.tif 000022
【図２１】
2021527212.tif 000023
【図２２】
2021527212.tif 000024
【図２３】
2021527212.tif 000025
【図２４】
2021527212.tif 000026
【図２５】
2021527212.tif 000027
【図２６】
2021527212.tif 000028
【図２７】
2021527212.tif 000029
【図２８】
2021527212.tif 000030
【図２９】
2021527212.tif 000031
【国際調査報告】
2021527212.tif 000032